(57)【要約】【課題】  常に一定の測定位置で上腕の血圧測定ができる血圧計を提供する。【解決手段】  腕挿入ブロック２の腕挿入穴３の内部に阻血袋を保持したカフ帯４が配置されて、このカフ帯４は、巻き取り機構で巻き取られるようになった血圧計１において、上記腕挿入穴３の出口３ａ付近の腕挿入ブロック２に、腕挿入穴３に挿入された上腕６Ａの肘７を置くための肘サポート台８が設けられている。【選択図】  図１
2005334125.tif 000002
【特許請求の範囲】
【請求項１】
腕挿入ブロックの腕挿入穴の内部に阻血袋を保持したカフ帯が配置されて、このカフ帯は、巻き取り機構で巻き取られるようになった血圧計において、
上記腕挿入穴の出口付近の腕挿入ブロックに、腕挿入穴に挿入された上腕の肘を置くための肘サポート台が設けられていることを特徴とする血圧計。
【請求項２】
上記腕挿入穴の出口側における腕挿入ブロックの下部がヒンジ部材で支持されて、腕挿入ブロックが奥側に傾動可能に設置されるとともに、上記肘サポート台は、上記ヒンジ部材よりも奥側に延在されていることを特徴とする請求項１記載の血圧計。
【請求項３】
上記肘サポート台の肘置き面が横方向の凹弧面に形成されていることを特徴とする請求項１または２記載の血圧計。
【請求項４】
上記肘サポート台の肘置き面の奥部が盛り上がり面に形成されていることを特徴とする請求項１〜３のいずれか１項に記載の血圧計。
【請求項５】
上記肘サポート台は、腕挿入ブロック側に折り畳み可能であることを特徴とする請求項１〜４のいずれか１項に記載の血圧計。
【請求項６】
上記肘サポート台に連なって、下腕を置くための腕サポート台が設けられ、この腕サポート台は、肘サポート台とともに腕挿入ブロック側に折り畳み可能であることを特徴とする請求項１〜５のいずれか１項に記載の血圧計。
【請求項７】
上記肘サポート台の肘置き面に、左右いずれの腕の肘の骨にも合う窪みが形成されていることを特徴とする請求項１〜６のいずれか１項に記載の血圧計。
【発明の詳細な説明】
【技術分野】
【０００１】
本発明は、上腕で血圧測定をするのに好適な血圧計に関する。
【背景技術】
【０００２】
従来、腕挿入ブロックの腕挿入穴の内部に阻血袋を保持したカフ帯が配置されて、このカフ帯は、巻き取り機構で巻き取られるようになった血圧計がある（特許文献１参照）。
【０００３】
この血圧計は、測定者が腕挿入穴に上腕まで挿入し、上腕を阻血して血圧測定をするものである。
【特許文献１】特許第３２３５６０２号公報
【発明の開示】
【発明が解決しようとする課題】
【０００４】
しかしながら、測定者が腕挿入穴に腕を挿入した際に、上腕をどこまで腕挿入穴に挿入すれば良いのかが分かりにくいことから、深く挿入したり浅く挿入したりすることで、測定精度に影響するという問題があった。
【０００５】
本発明は、上記問題を解消するためになされたもので、常に一定の測定位置で上腕の血圧測定ができる血圧計を提供することを課題とするものである。
【課題を解決するための手段】
【０００６】
上記課題を解決するために、請求項１の発明は、腕挿入ブロックの腕挿入穴の内部に阻血袋を保持したカフ帯が配置されて、このカフ帯は、巻き取り機構で巻き取られるようになった血圧計において、
上記腕挿入穴の出口付近の腕挿入ブロックに、腕挿入穴に挿入された上腕の肘を置くための肘サポート台が設けられていることを特徴とするものである。
【０００７】
請求項２の発明は、請求項１記載の血圧計であって、上記腕挿入穴の出口側における腕挿入ブロックの下部がヒンジ部材で支持されて、腕挿入ブロックが奥側に傾動可能に設置されるとともに、上記肘サポート台は、上記ヒンジ部材よりも奥側に延在されていることを特徴とするものである。
【０００８】
請求項３の発明は、請求項１または２記載の血圧計であって、上記肘サポート台の肘置き面が横方向の凹弧面に形成されていることを特徴とするものである。
【０００９】
請求項４の発明は、請求項１〜３のいずれか１項に記載の血圧計であって、上記肘サポート台の肘置き面の奥部が盛り上がり面に形成されていることを特徴とするものである。
【００１０】
請求項５の発明は、請求項１〜４のいずれか１項に記載の血圧計であって、上記肘サポート台は、腕挿入ブロック側に折り畳み可能であることを特徴とするものである。
【００１１】
請求項６の発明は、請求項１〜５のいずれか１項に記載の血圧計であって、上記肘サポート台に連なって、下腕を置くための腕サポート台が設けられ、この腕サポート台は、肘サポート台とともに腕挿入ブロック側に折り畳み可能であることを特徴とするものである。
【００１２】
請求項７の発明は、請求項１〜６のいずれか１項に記載の血圧計であって、上記肘サポート台の肘置き面に、左右いずれの腕の肘の骨にも合う窪みが形成されていることを特徴とするものである。
【発明の効果】
【００１３】
請求項１の発明によれば、測定者が腕挿入穴に上腕を挿入した際に、その肘を肘サポート台に置くことで、上腕をどこまで腕挿入穴に挿入すれば良いのかの目安となるから、常に一定の測定位置で血圧測定ができるので、測定精度の信頼が向上するようになる。また、肘サポート台は、腕挿入ブロックの腕挿入穴の出口付近のみに設ければ良いから、コンパクトに設けることができる。
【００１４】
請求項２の発明によれば、測定者が肘を肘サポート台に置くと、肘の重みで腕挿入ブロックが傾動して、上腕の挿入角度に腕挿入穴の中心が一致するようになるから、カフ帯を上腕にきっちりと巻き付けることができるので、測定精度の信頼性が向上するようになる。
【００１５】
請求項３の発明によれば、肘サポート台の肘置き面を横方向の凹弧面に形成したから、肘サポート台に肘を置いた際に、肘の横方向の位置ずれを防止できるので、常に安定な血圧測定が行えて測定精度のバラツキが低減するようになる。
【００１６】
請求項４の発明によれば、肘サポート台の肘置き面の奥部を盛り上がり面に形成したから、肘サポート台に肘を置く際に、肘の置く位置を触感で認識できて、肘の奥行き方向の位置ずれを防止できるので、常に安定な血圧測定が行えて測定精度のバラツキが低減するようになる。
【００１７】
請求項５の発明によれば、肘サポート台を腕挿入ブロック側に折り畳み可能としたから、肘サポート台をコンパクトに腕挿入ブロック側に収納することができる。
【００１８】
請求項６の発明によれば、肘サポート台に連なる腕サポート台を設けたから、腕全体をサポートできるので、測定時の腕全体の姿勢が安定するようになる。また、肘サポート台とともに腕サポート台を腕挿入ブロック側に折り畳み可能としたから、肘サポート台と腕サポート台とをコンパクトに腕挿入ブロック側に収納することができる。
【００１９】
請求項７の発明によれば、肘サポート台の肘置き面に、左右いずれの腕の肘の骨にも合う窪みを形成したから、左右いずれの腕の肘を肘サポート台に置いても肘の位置固定が安定するようになる。
【発明を実施するための最良の形態】
【００２０】
以下、本発明を実施するための最良の形態について、図面を参照しながら詳細に説明する。
【００２１】
図１（ａ）は血圧計１の斜視図、同（ｂ）は血圧計１の断面図である。この血圧計１は、家庭用としてコンパクトかつシンプルに構成したものであって、ボックス状の腕挿入ブロック２には、前後方向に貫通する腕挿入穴３が形成されて、この腕挿入穴３には、筒状のカフリング（図示せず。）が配置され、このカフリリングの外周位置には、阻血袋を保持したカフ帯４が配置されている。
【００２２】
このカフ帯４は、自動巻き取り機構（電動モータ等）に連結されていて、スイッチ５をオンすると、カフ帯４が巻き取られて阻血袋が上腕６Ａの周囲に巻き付けられ、所定のタイミングで阻血袋が膨張されて上腕６Ａの動脈を阻血して、血圧測定を行うようになる。
【００２３】
上記腕挿入穴３の出口３ａ付近の下部には、腕挿入ブロック２の後部側壁２ａに取付けられて、奥側（後方側）に延在する肘サポート台８が設けられている。
【００２４】
この肘サポート台８は、腕挿入穴３に挿入された上腕６Ａの肘７を置くためのものである。
【００２５】
このように、腕挿入ブロック２の腕挿入穴３の出口３ａ付近に肘サポート台８を設けることで、血圧計１をテーブル等９の上に置いて、測定者が腕挿入穴３に上腕６Ａを挿入した際に、その肘７を肘サポート台８に置くことで、上腕６Ａをどこまで腕挿入穴に挿入すれば良いのかの目安となるから、常に一定の測定位置で血圧測定ができるので、測定精度の信頼が向上するようになる。
【００２６】
また、肘サポート台８は、腕挿入ブロック２の腕挿入穴３の出口３ａ付近のみに設ければ良いから、コンパクトに設けることができる。
【００２７】
上記テーブル等９の上に血圧計１を置く場合、テーブル等９の高さによっては、上腕６Ａの挿入角度と腕挿入穴３の中心とが一致しなくなって、カフ帯４を上腕６Ａにきっちりと巻き付けることができない。
【００２８】
そこで、図２（ａ）に示すように、腕挿入穴３の出口３ａ側における腕挿入ブロック２の下部を血圧計１のベース台１０にヒンジ部材１１で支持して、腕挿入ブロック３を奥側に傾動可能（矢印ａ参照）に設置する。この場合、上記肘サポート台８は、上記ヒンジ部材１１よりも奥側に延在させるようにする。
【００２９】
このように構成すれば、測定者が腕挿入穴３に上腕６Ａを挿入して、肘７を肘サポート台８に置くと、肘７の重みで腕挿入ブロック２が奥側に傾動して、上腕６Ａの挿入角度に腕挿入穴３の中心が一致するようになるから、カフ帯４を上腕６Ａにきっちりと巻き付けることができるので、測定精度の信頼性が向上するようになる。
【００３０】
なお、図２（ｂ）に示すように、腕挿入ブロック２とベース台１０とを固定するとともに、ベース台１０をテーブル等９にヒンジ部材１１で支持して、腕挿入ブロック３とベース台１０とを奥側に傾動可能（矢印ａ参照）に設置することもできる。
【００３１】
上記肘サポート台８は、図３（ａ）に示すように、肘置き面８ａを横方向の凹弧面に形成すれば、肘サポート台８に肘７を置いた際に、肘７の横方向の位置ずれを防止できるので、常に安定な血圧測定が行えて測定精度のバラツキが低減するようになる。
【００３２】
また、図３（ａ）（ｂ）に示すように、肘サポート台８の肘置き面８ａの奥部を盛り上がり面８ｂに形成すれば、肘サポート台８に肘７を置く際に、肘７の置く位置を触感で認識できて、肘７の奥行き方向の位置ずれを防止できるので、常に安定な血圧測定が行えて測定精度のバラツキが低減するようになる。
【００３３】
上記肘サポート台８を軟質材料（例えばゴム材等で硬度が７０〜９０程度）で構成すれば、肘サポート台８に置いた肘７の痛みを低減することができる。
【００３４】
この場合、肘サポート台８の肘置き部８ｃを軟質材料、腕挿入ブロック２への取付け部８ｄを硬質材料（例えば硬質合成樹脂や金属等）で構成すれば、肘置き部８ｃに置いた肘７の痛みを低減することができるとともに、腕挿入ブロック２への取付け力も充分に確保することができる。
【００３５】
上記肘サポート台８は、具体的に図示しないが、膨張・収縮可能な空気袋で構成することができる。この構成であれば、空気袋製の肘サポート台８に置いた肘７の痛みを低減することができるともに、空気袋を収縮させることで、肘サポート台８をコンパクトに収納することができる。
【００３６】
また、空気袋に対する空気の注入・排出手段として、血圧計１に内蔵している阻血袋の空気供給用ポンプ及び空気排気用バルブを利用して空気袋を膨張・収縮できるから、コスト安になる。
【００３７】
図４に示すように、上記肘サポート台８を腕挿入穴３の出口３ａ付近の下部で、ヒンジ部材１１により上下揺動自在に支持すれば、不使用時には、肘サポート台８は、腕挿入ブロック２側に折り畳むことができるから（二点鎖線ｂ参照）、肘サポート台８をコンパクトに腕挿入穴３に収納することができる。
【００３８】
図５（ａ）に示すように、上記肘サポート台８に連なって、下腕６Ｂ〔図５（ｂ）参照〕を置くための腕サポート台１２を設ければ、腕全体をサポートできるので、測定時の腕全体の姿勢が安定するようになる。
【００３９】
また、肘サポート台８をヒンジ部材１１で上下揺動自在に支持するとともに、腕サポート台１２として、チェーン状に連結したものを用いれば、腕サポート台１２は、図５（ｂ）に示すように、肘サポート台８とともに腕挿入ブロック２側に折り畳むことができるから、肘サポート台８と腕サポート台１２とをコンパクトに腕挿入穴３内に収納することができる。上記チェーン状に連結した腕サポート台１２は、折り畳み方向には各関節部分で屈曲するとともに、展張方向には、各関節部分のストッパーで係止されて屈曲しない構造のものを使用する。
【００４０】
また、図６（ａ）に示すように、腕サポート台１２として、伸縮ロッド状のものを用いることもできる。
【００４１】
図５（ａ）および図６（ｂ）に示すように、上記腕サポート台１２の先端部に、手６Ｃで握り可能な握り部１２ａを設けると、手６Ｃの掌側（阻血したい血管側）が自然に上向きとなるので、血圧測定を正確にできるようになる。
【００４２】
図７（ａ）に示すように、右腕の肘７（Ｒ）を正面から見れば、肘７（Ｒ）から突出した骨部７ａは内寄りにある。また、図７（ｂ）に示すように、左腕の肘７（Ｌ）を正面から見れば、肘７（Ｌ）から突出した骨部７ａは内寄りにある。
【００４３】
従って、肘サポート台８の肘置き面８ａがフラットであれば、突出する骨部７ａによって肘７（Ｒ，Ｌ）位置固定が安定しないことから、測定部位が右腕の肘７（Ｒ）であれば、図７（ａ）のように、肘サポート台８の肘置き面８ａに、右腕の肘７（Ｒ）の骨部７ａに合う窪み８ｅを形成すれば良く、測定部位が左腕の肘７（Ｌ）であれば、図７（ｂ）のように、肘サポート台８の肘置き面８ａに、左腕の肘７（Ｌ）の骨部７ａに合う窪み８ｆを形成すれば良いことになる。
【００４４】
しかし、測定者が左右どちらの腕を測定部位とするのかが分からないから、図７（ｃ）に示すように、肘サポート台８の肘置き面８ａに、左右いずれの腕の肘７（Ｌ，Ｒ）の骨にも合う窪み８ｅ，８ｆを形成する。
【００４５】
これにより、同図のように、肘サポート台８の肘置き面８ａに、右腕の肘７（Ｒ）を置けば、骨部７ａが窪み８ｅに合って肘７（Ｒ）位置固定が安定するとともに、図７（ｄ）のように、肘サポート台８の肘置き面８ａに、左腕の肘７（Ｌ）を置けば、骨部７ａが窪み８ｆに合って肘７（Ｌ）位置固定が安定するようになる。
【００４６】
なお、上記肘サポート台８を低弾性ウレタンで構成すれば、肘サポート台８の肘置き面８ａに上記のような窪み８ｅ，８ｆを形成しなくても、左右の腕の肘７（Ｌ，Ｒ）がどのような肘形状であっても、肘サポート台８が肘７（Ｌ，Ｒ）にフィットするので、肘の位置固定が安定するようになる。
【００４７】
図８（ａ）に示すように、上記肘サポート台８の先端に、ヒンジ部８ｂで上下揺動可能に支持されて（矢印ｃ参照）、常時は起立可能な起立部８ｃを設けることができる。この起立部８ｃを起立させるために、肘サポート台８と起立部８ｃとに跨って、起立部８ｃを起立方向に付勢する板ばね１３をインサートモールドしている。
【００４８】
このように構成すれば、肘サポート台８の先端に起立部８ｃを設けることで、測定者が腕挿入穴３に腕を挿入して、曲げた腕の肘７を起立部８ｃに当てることで、肘７を位置決めできるとともに、図８（ｂ）のように、その後に肘７を伸ばすと、それに伴って起立部８ｃが板ばね１３の付勢力に抗して直線状に倒れるので、起立部８ｃに肘７が当たらなくなって肘７の痛みを低減することができる。
【００４９】
図９に示すように、上記腕挿入穴３の出口３ａ付近の下部における腕挿入ブロック２の後部側壁２ａに雌ねじ２ｂを形成するとともに、この雌ねじ２ｂに螺合する雄ねじ８ｇを肘サポート台８に取付けて、雄ねじ２ｂの螺合位置を変えることで、肘サポート台８の上腕６Ａの挿入方向の位置を調整することができる（矢印ｄ参照）。雌ねじ２ｂと雄ねじ８ｂ螺合以外に、クリックストップ構造等も採用することができる。
【００５０】
したがって、上腕６Ａの長さが異なる測定者が使用した場合でも適切な位置に肘７を置くことができる。
【００５１】
上記肘サポート台８を腕挿入穴３の入口付近と出口３ａ付近との間で前後移動可能に支持すれば、肘サポート台８を腕挿入穴３の入口付近に移動させて、肘サポート台８に肘７を置いた状態で、肘サポート台８とともに上腕６Ａを腕挿入穴３に挿入することができるから、肘７を置く位置が分かりやすいので、腕挿入穴３に対する上腕６Ａの入れ過ぎや入れ不足を解消できるようになる。
【００５２】
また、上記ベース台１０で腕挿入ブロック２を腕の挿入方向に移動可能に支持するとともに、上記肘サポート台８を腕挿入ブロック２の腕挿入穴３の入口付近に対応するベース台１０に取付ければ、肘サポート台８に肘７を置いた状態で、腕挿入ブロック２を移動させることで、肘サポート台８とともに上腕６Ａを腕挿入穴３に挿入することができるから、肘７を置く位置が分かりやすいので、腕挿入穴３に対する上腕６Ａの入れ過ぎや入れ不足を解消できるようになる。また、肘サポート台８に肘７を置いた状態で、腕挿入ブロック２を移動させるだけであるから、測定者が前屈み姿勢になることがなく、自然な姿勢で測定することができる。
【００５３】
さらに、上記肘サポート台８に、測定者が肘７を置いたことを検出する検出手段（スイッチ等）を設けると、測定者が肘７を肘サポート台８に置いたことを検出手段で検出すると、報知音等を鳴らせて報知することができるので、測定者が適切な位置に肘７が置かれていることを認識できて、安心して測定できるようになる。また、検出手段で検出すると、カフ帯４の自動巻き取り等を開始することにより、自動測定ができるようになる。
【図面の簡単な説明】
【００５４】
【図１】血圧計であり、（ａ）は出口側から見た斜視図、（ｂ）は側面断面図である。
【図２】（ａ）は腕挿入ブロックが傾動する血圧計の側面断面図、（ｂ）は全体が傾動する血圧計の側面断面図である。
【図３】（ａ）は凹弧面を有する肘サポート台の斜視図、（ｂ）は盛り上がり面を有する肘サポート台の正面図、（ｃ）は（ｂ）の側面断面図である。
【図４】上下揺動自在な肘サポート台を有する血圧計の側面断面図である。
【図５】（ａ）は腕サポート台を有する血圧計の側面断面図、（ｂ）は折り畳んだ腕サポート台の側面図である。
【図６】（ａ）腕サポート台の変形例の斜視図、（ｂ）は握り部の斜視図である。
【図７】（ａ）は右肘の骨部を示す正面図、（ｂ）は左肘の骨部を示す正面図、（ｃ）は、窪みを形成した肘サポート台に右肘を置いた時の正面図、（ｄ）は、窪みを形成した肘サポート台に左肘を置いた時の正面図である。
【図８】（ａ）は起立部を有する肘サポート台の側面図、（ｂ）は起立部を倒した肘サポート台の側面図である。
【図９】肘サポート台の位置調整機構の側面断面図である。
【符号の説明】
【００５５】
１      血圧計
２      腕挿入ブロック
３      腕挿入穴
３ａ    出口
４      カフ帯
６Ａ    上腕
７      肘
８      肘サポート台
８ａ    肘置き面
８ｂ    盛り上がり面
８ｅ，８ｆ  窪み
１１    ヒンジ部材
１２    腕サポート台
【図１】
2005334125.tif 000003
【図２】
2005334125.tif 000004
【図３】
2005334125.tif 000005
【図４】
2005334125.tif 000006
【図５】
2005334125.tif 000007
【図６】
2005334125.tif 000008
【図７】
2005334125.tif 000009
【図８】
2005334125.tif 000010
【図９】
2005334125.tif 000011